(57)【要約】      （修正有）【課題】アンテナ構造を備えた電子装置を提供する。【解決手段】アンテナ構造４０は、携帯電話トランシーバ回路又は無線ローカルエリアネットワーク回路などの非近距離トランシーバ回路９０に結合することができる。アンテナ構造４０は、非近距離通信周波数で動作する時には、１又はそれ以上の逆Ｆ型アンテナ構造、又は遠距離無線通信をサポートするためのその他のアンテナとして機能するように構成することができる。アンテナ構造４０には、近接センサ回路１２２及び近距離通信トランシーバ回路１２０を結合することもできる。アンテナ構造４０は、近接センサ周波数で動作する時には、静電容量式近接センサ電極構造の形成に使用することができる。アンテナ構造４０は、近距離通信周波数で動作する時には、誘導性近距離通信ループアンテナの形成に使用することができる。【選択図】図６
0003198270.tif 000002
【実用新案登録請求の範囲】
【請求項１】
アンテナ構造と、
前記アンテナ構造に結合された非近距離通信回路と、
前記アンテナ構造に結合された近距離通信回路と、
前記アンテナ構造に結合された近接センサ回路と、
を備えることを特徴とする電子装置。
【請求項２】
前記アンテナ構造は、アンテナ共振素子アームを含む、
ことを特徴とする請求項１に記載の電子装置。
【請求項３】
前記近接センサ回路を前記アンテナ共振素子アームに結合するローパスフィルタをさらに備える、
ことを特徴とする請求項２に記載の電子装置。
【請求項４】
前記近距離通信回路を前記アンテナ共振素子アームに結合するバンドパスフィルタをさらに備える、
ことを特徴とする請求項３に記載の電子装置。
【請求項５】
前記近距離通信回路の使用に関連する近距離通信周波数において、前記アンテナ構造から前記近距離通信回路のためのループアンテナを形成し、前記非近距離通信回路の使用に関連する非近距離通信周波数において、前記アンテナ構造から非近距離通信アンテナを形成するように構成されたアンテナ回路を前記アンテナ構造内にさらに備える、
ことを特徴とする請求項４に記載の電子装置。
【請求項６】
前記アンテナ回路は、コンデンサを含む、
ことを特徴とする請求項５に記載の電子装置。
【請求項７】
前記アンテナ回路は、バンドパスフィルタを含む、
ことを特徴とする請求項６に記載の電子装置。
【請求項８】
前記バンドパスフィルタは、前記アンテナ共振素子アームの一端に接続される、
ことを特徴とする請求項７に記載の電子装置。
【請求項９】
前記アンテナ構造は、前記非近距離通信回路に関連する周波数で動作する時に前記アンテナ構造を一対の逆Ｆ型アンテナとして構成し、前記近距離通信回路に関連する周波数で動作する時に前記アンテナ構造を近距離通信ループアンテナとして構成するアンテナ回路を含む、
ことを特徴とする請求項１に記載の電子装置。
【請求項１０】
前記一対の逆Ｆ型アンテナは、
第１の共振素子アーム、第１のフィード及び第１の戻り経路を有する第１の逆Ｆ型アンテナと、
第２の共振素子アーム、第２のフィード及び第２の戻り経路を有する第２の逆Ｆ型アンテナと、
を含み、前記アンテナ構造はアンテナ接地を含み、前記第１の戻り経路は、前記第１の共振素子アームと前記アンテナ接地との間に結合され、前記アンテナ回路が、前記ループアンテナを形成するように前記アンテナ構造を構成している場合、近距離通信信号に関連するアンテナ電流が、前記第２の共振素子アーム、前記第１の共振素子アーム、前記第１の戻り経路及び前記アンテナ接地を通って流れる、
ことを特徴とする請求項９に記載の電子装置。
【請求項１１】
第１のアンテナ共振素子アームと、該第１のアンテナ共振素子アームをアンテナ接地に結合する第１の戻り経路とを有する第１の逆Ｆ型アンテナと、
第２のアンテナ共振素子アームと、該第２のアンテナ共振素子アームを前記アンテナ接地に結合する戻り経路とを有する第２の逆Ｆ型アンテナと、
前記第１のアンテナ共振素子アームと前記第２のアンテナ共振素子アームとの間に結合されたバンドパスフィルタと、
を備えることを特徴とする電子装置。
【請求項１２】
前記第２のアンテナ共振素子は、対向する第１及び第２の端部を有し、前記バンドパスフィルタは、前記第２のアンテナ共振素子アームの第１の端部と前記第１のアンテナ共振素子アームとの間に結合される、
請求項１１に記載の電子装置。
【請求項１３】
前記第２の逆Ｆ型アンテナの前記戻り経路に介在するコンデンサをさらに備える、
ことを特徴とする請求項１２に記載の電子装置。
【請求項１４】
前記第２のアンテナ共振素子アームの第２の端部に結合されたさらなるバンドパスフィルタをさらに備える、
ことを特徴とする請求項１３に記載の電子装置。
【請求項１５】
前記さらなるバンドパスフィルタに結合された近距離通信回路をさらに備える、
ことを特徴とする請求項１４に記載の電子装置。
【請求項１６】
前記第２の逆Ｆ型アンテナに結合された近接センサ回路をさらに備える、
ことを特徴とする請求項１５に記載の電子装置。
【請求項１７】
前記近接センサ回路を前記第２のアンテナ共振素子アームに結合する経路内にローパスフィルタをさらに備える、
ことを特徴とする請求項１６に記載の電子装置。
【請求項１８】
非近距離通信回路と、
前記非近距離通信回路に結合されて非近距離通信に対応する第１のフィードを有する第１のアンテナと、
前記非近距離通信回路に結合されて非近距離通信に対応する第２のフィードを有する第２のアンテナと、
前記第１のアンテナと前記第２のアンテナとの間に結合されたバンドパスフィルタと、
近距離通信周波数で動作する近距離通信回路と、
を備え、前記バンドパスフィルタは、前記近距離通信周波数における通過帯域を有する、
ことを特徴とする電子装置。
【請求項１９】
前記非近距離通信回路は、少なくとも７００ＭＨｚの非近距離通信周波数で動作するトランシーバ回路を含み、前記バンドパスフィルタは、前記非近距離通信周波数において開回路である、
ことを特徴とする請求項１８に記載の電子装置。
【請求項２０】
前記第２のアンテナに結合された、近接センサ周波数で動作する近接センサ回路をさらに備え、前記バンドパスフィルタは、前記近接センサ周波数において開回路である、
ことを特徴とする請求項１９に記載の電子装置。
【考案の詳細な説明】
【技術分野】
【０００１】
〔関連出願との相互参照〕
本出願は、２０１４年４月１６日に出願された米国特許出願公開第１４／２５４，６０４号の優先権を主張するものであり、この特許出願はその全体が引用により本明細書に組み入れられる。
【０００２】
本考案は、電子装置に関し、具体的には、無線通信回路を備えた電子装置のためのアンテナに関する。
【背景技術】
【０００３】
ポータブルコンピュータなどの電子装置、及び携帯電話機は、無線通信能力を備えていることが多い。例えば、電子装置は、携帯電話回路などの長距離無線通信回路を使用し、携帯電話帯域を使用して通信することができる。電子装置は、無線ローカルエリアネットワーク通信回路などの短距離無線通信回路を使用して近隣の装置との通信に対応することもできる。電子装置は、衛星ナビゲーションシステム受信機、及び近距離通信回路などのその他の無線回路を備えることもできる。近距離通信スキームは、典型的には２０ｃｍ又はそれ以下の近距離を介して電磁的に結合された通信を行うものである。
【０００４】
製造業者は、小型フォームファクタの無線装置に対する消費者需要を満たすために、コンパクトな構造を用いてアンテナ部品などの無線通信回路を実装しようと絶えず努力している。一方で、無線装置がより多くの通信帯域をカバーすることに対する要望も存在する。例えば、無線装置は、近距離通信帯域をカバーすると同時に、携帯電話帯域、無線ローカルエリアネットワーク帯域及び衛星ナビゲーションシステム帯域などのさらなる非近距離（遠距離）帯域もカバーすることが望ましいと思われる。
【０００５】
電子装置にアンテナを組み込む際には、アンテナが互いに及び無線装置内の部品に干渉する可能性があるので注意しなければならない。さらに、アンテナ、及び装置内の無線回路が、動作周波数範囲にわたって満足できる性能を確実に示せるように注意しなければならない。
【考案の概要】
【考案が解決しようとする課題】
【０００６】
従って、無線電子装置のための改善された無線通信回路を提供できることが望ましい。
【課題を解決するための手段】
【０００７】
電子装置が、無線回路を備えることができる。この無線回路は、アンテナ構造を含むことができる。
【０００８】
アンテナ構造は、携帯電話トランシーバ回路及び無線ローカルエリアネットワーク回路などの非近距離通信回路に結合することができる。このアンテナ構造は、非近距離通信周波数で動作する際には、１又はそれ以上の遠距離アンテナとして機能するように構成することができる。一例として、このアンテナ構造は、７００ＭＨｚを上回る周波数などの非近距離通信周波数で動作する際には、１又はそれ以上の逆Ｆ型アンテナを形成するように構成することができる。
【０００９】
このアンテナ構造には、近接センサ回路及び近距離通信回路を結合することもできる。このアンテナ構造は、約２００ｋＨｚの周波数などの近接センサ周波数で動作する際には、静電容量式近接センサ電極構造の形成に使用することができる。このアンテナ構造に近接センサ回路を結合するために、ローパスフィルタ回路を使用することができる。
【００１０】
このアンテナ構造は、バンドパスフィルタ回路、コンデンサ（ハイパスフィルタ）、インダクタ（ローパスフィルタ）及びその他の周波数依存回路などの周波数依存アンテナ回路を含むことができる。バンドパスフィルタ回路は、１３．５６ＭＨｚなどの近距離通信周波数の信号を通過させる通過帯域を有することができる。このアンテナ回路は、非近距離通信周波数では、無線ローカルエリアネットワーク通信、携帯電話通信及びその他の非近距離無線信号をサポートするように、逆Ｆ型アンテナ又はその他の遠距離アンテナを形成するように構成される。
【００１１】
近距離通信周波数で動作する際には、バンドパスフィルタ、ローパスフィルタ、コンデンサ及びその他のアンテナ回路を、逆Ｆ型アンテナ構造が近距離通信ループアンテナを形成する一方で、近接センサ回路と非近距離通信回路とを分離するようにする開回路及び閉回路を形成するように構成することができる。
【図面の簡単な説明】
【００１２】
【図１】ある実施形態による、ラップトップコンピュータなどの例示的な電子装置の斜視図である。
【図２】ある実施形態による、ハンドヘルド電子装置などの例示的な電子装置の斜視図である。
【図３】ある実施形態による、タブレットコンピュータなどの例示的な電子装置の斜視図である。
【図４】ある実施形態による、コンピュータ又はテレビのディスプレイなどの例示的な電子装置の斜視図である。
【図５】ある実施形態による、電子装置内の例示的な回路の概略図である。
【図６】ある実施形態による例示的な無線回路の概略図である。
【図７】ある実施形態による例示的な逆Ｆ型アンテナ構造を示す図である。
【図８】ある実施形態による例示的なアンテナ構造を示す平面図である。
【図９】ある実施形態による、図８の例示的なアンテナ構造の形成において使用できる基板及びその他の構造の平面図である。
【図１０】ある実施形態による、近接センサデータを収集するために使用できる例示的なアンテナ構造の平面図である。
【考案を実施するための形態】
【００１３】
電子装置が、アンテナ構造を備えることができる。このアンテナ構造は、携帯電話通信及び／又はその他の遠距離（非近距離）通信のためのアンテナを含むことができる。アンテナ構造内の回路は、アンテナ構造が近距離通信ループアンテナを形成して近距離通信に対応することを可能にすることができる。アンテナ構造は、近接センサデータを収集するために使用できる構造を含むこともできる。このようなアンテナ構造を含むことができる例示的な電子装置を図１、図２、図３及び図４に示す。
【００１４】
図１の電子装置１０は、ラップトップコンピュータの形状を有し、上部ハウジング１２Ａと、キーボード１６及びタッチパッド１８などの部品を含む下部ハウジング１２Ｂとを有する。装置１０は、上部ハウジング１２Ａが回転軸２４を中心に下部ハウジング１２Ｂに対して方向２２に回転できるようにするためのヒンジ構造２０（クラッチバレルと呼ばれることもある）を有する。ハウジング１２Ａには、ディスプレイ１４が装着される。このディスプレイハウジング又は蓋部と呼ばれることもある上部ハウジング１２Ａは、回転軸２４を中心に下部ハウジング１２Ｂの方に回転させることによって閉鎖位置に置かれる。
【００１５】
図２には、携帯電話機、音楽プレーヤ、ゲーム機、ナビゲーション装置又はその他の小型装置などのハンドヘルド装置に基づく電子装置１０の例示的な構成を示している。この種の装置１０の構成では、装置１０が、対向する前面及び後面を有する。装置１０の後面は、ハウジング１２の平面部分によって形成することができる。装置１０の前面は、ディスプレイ１４によって形成される。ディスプレイ１４は、ボタン２６及びスピーカポート２７などの部品のための開口部を含む最外層を有することができる。
【００１６】
図３の例では、電子装置１０がタブレットコンピュータである。図３の電子装置１０では、装置１０が、対向する平面的な前面及び後面を有する。装置１０の後面は、ハウジング１２の平面的な後壁部分によって形成される。この平面的な後壁部分の周辺を曲面的又は平面的な側壁が取り巻いて、垂直方向上向きに延びることができる。装置１０のハウジング１２内の前面にはディスプレイ１４が装着される。図３に示すように、ディスプレイ１４は、ボタン２６に対応するための開口部を含む最外層を有する。
【００１７】
図４には、コンピュータディスプレイ、一体型コンピュータディスプレイを有するコンピュータ、又はテレビである電子装置１０の例示的な構成を示している。装置１０のハウジング１２内の前面にはディスプレイ１４が装着される。この種の構成では、装置１０のハウジング１２を壁に取り付けることも、又はハウジング１２が卓上又は机などの平面上に装置１０を支持するための支持スタンド３０などの任意の構造を有することもできる。
【００１８】
一般に、図１、図２、図３及び図４の電子装置１０などの電子装置は、ラップトップコンピュータ、組込型コンピュータを含むコンピュータモニタ、タブレットコンピュータ、携帯電話機、メディアプレーヤ、或いはその他のハンドヘルド又はポータブル電子装置などのコンピュータ装置、腕時計型装置、ペンダント型装置、ヘッドホン又はイヤホン装置、或いはその他のウェアラブル又はミニチュア装置などの小型装置、テレビ、組込型コンピュータを含まないコンピュータディスプレイ、ゲーム機、ナビゲーション装置、ディスプレイを備えた電子装置を売店又は自動車に取り付けたシステムなどの組込型システム、２又はそれ以上のこれらの装置の機能を実装する装置、或いはその他の電子装置とすることができる。図１、図２、図３及び図４の例は例示にすぎない。
【００１９】
装置１０は、ディスプレイ１４などのディスプレイを含むことができる。ディスプレイ１４は、ハウジング１２に装着することができる。ハウジング１２は、エンクロージャ又はケースと呼ばれることもあり、プラスチック、ガラス、セラミック、繊維複合体、金属（例えば、ステンレス鋼、アルミニウムなど）、その他の好適な材料、或いはこれらの材料のいずれか２又はそれ以上の組み合わせによって形成することができる。ハウジング１２は、ハウジング１２の一部又は全部が単一構造として機械加工又は成形された一体構造を用いて形成することも、或いは複数の構造（例えば、内部フレーム構造、外部ハウジング面を形成する１又はそれ以上の構造など）を用いて形成することもできる。
【００２０】
ディスプレイ１４は、導電性静電容量式タッチセンサ電極又はその他のタッチセンサ部品（例えば、抵抗性タッチセンサ部品、音響性タッチセンサ部品、力に基づくタッチセンサ部品、光に基づくタッチセンサ部品など）の層を組み込んだタッチスクリーンディスプレイとすることも、又はタッチセンサ式でないディスプレイとすることもできる。静電容量式タッチスクリーン電極は、インジウムスズ酸化物パッドの配列又はその他の透明導電性構造から形成することができる。
【００２１】
ディスプレイ１４は、液晶ディスプレイ（ＬＣＤ）部品、電気泳動ディスプレイ画素の配列、プラズマディスプレイ画素の配列、有機発光ダイオードディスプレイ画素の配列、エレクトロウェッティングディスプレイ画素の配列、又はその他のディスプレイ技術に基づくディスプレイ画素から形成されたディスプレイ画素の配列を含むことができる。
【００２２】
ディスプレイ１４は、透明ガラス又は透明プラスチックの層などのディスプレイカバー層を用いて保護することができる。このディスプレイカバー層には開口部を形成することができる。例えば、ディスプレイカバー層には、ボタンに対応するための開口部を形成することや、スピーカポートなどに対応するための開口部を形成することができる。ディスプレイ１４は、アクティブ領域及び非アクティブ領域を有することができる。例えば、ディスプレイ１４は、ユーザに画像を表示するディスプレイ画素の配列を含む矩形の中央領域を有することができる。アクティブ領域は、非アクティブな周辺境界領域によって取り囲むことができる。ディスプレイの非アクティブな境界はディスプレイ画素を含んでおらず、従ってユーザに画像を表示しない。ディスプレイカバー層は、この非アクティブな境界を覆うことができる。装置１０の内部部品が見えるのを防ぐために、非アクティブ領域のディスプレイカバー層の内面は、黒インクの層などの不透明なマスキング材料でコーティングすることができる。ディスプレイ１４の非アクティブ領域の下に位置する装置１０の部分にアンテナ構造を形成すると、アンテナ構造と導電性ディスプレイ構造との間の干渉を最小限に抑えることができる。
【００２３】
ハウジング１２は、導電性材料及び／又は絶縁材料から形成することができる。ハウジング１２をプラスチック又はその他の誘電材料で形成した構成では、アンテナ信号がハウジング１２を通過することができる。この種の構成のアンテナは、ハウジング１２の一部の背後に取り付けることができる。ハウジング１２を導電性材料（例えば、金属）で形成した構成では、ハウジングの開口部内に１又はそれ以上の無線透過アンテナ窓を設けることが望ましいことがある。一例として、金属ハウジングは、プラスチックアンテナ窓で満たされた開口部を有することができる。このアンテナ窓の背後にアンテナを取り付け、アンテナ窓を通じてアンテナ信号を送信及び／又は受信するようにすることができる。
【００２４】
図５は、装置１０内で使用できる例示的な構成部品を示す概略図である。図５に示すように、装置１０は、記憶処理回路２８などの制御回路を含むことができる。記憶処理回路２８は、ハードディスクドライブ記憶装置、不揮発性メモリ（例えば、フラッシュメモリ、又はソリッドステートドライブを形成するように構成されたその他の電気的にプログラム可能なリードオンリメモリ）、揮発性メモリ（例えば、スタティック又はダイナミックランダムアクセスメモリ）などの記憶装置を含むことができる。装置１０の動作を制御するには、記憶処理回路２８内の処理回路を使用することができる。この処理回路は、１又はそれ以上のマイクロプロセッサ、マイクロコントローラ、デジタルシグナルプロセッサ、特定用途向け集積回路などに基づくことができる。
【００２５】
記憶処理回路２８を使用して、インターネットブラウジングアプリケーション、ボイス・オーバー・インターネット・プロトコル（ＶＯＩＰ）通話アプリケーション、電子メールアプリケーション、メディア再生アプリケーション、オペレーティングシステム機能などのソフトウェアを装置１０上で実行することができる。記憶処理回路２８は、外部装置との相互作用をサポートするために、通信プロトコルを実装する際に使用することができる。記憶処理回路２８を使用して実装できる通信プロトコルとしては、インターネットプロトコル、無線ローカルエリアネットワークプロトコル（例えば、ＷｉＦｉ（登録商標）と呼ばれることもあるＩＥＥＥ  ８０２．１１プロトコル）、Ｂｌｕｅｔｏｏｔｈ（登録商標）プロトコルなどのその他の短距離無線通信リンクのためのプロトコル、携帯電話プロトコル、ＭＩＭＯプロトコル、アンテナダイバーシティプロトコルなどが挙げられる。
【００２６】
入出力回路４４は、入出力装置３２を含むことができる。入出力装置３２を使用して装置１０にデータを提供し、また装置１０から外部装置にデータを提供することができる。入出力装置３２は、ユーザインターフェイス装置、データポート装置、及びその他の入出力部品を含むことができる。例えば、入出力装置としては、タッチ画面、タッチセンサ能力のないディスプレイ、ボタン、ジョイスティック、クリックホイール、スクロールホイール、タッチパッド、キーパッド、キーボード、マイク、カメラ、ボタン、スピーカ、ステータスインジケータ、光源、オーディオジャック及びその他のオーディオポート部品、デジタルデータポート装置、光センサ、モーションセンサ（加速度計）、静電容量式センサ、近接センサなどを挙げることができる。
【００２７】
入出力回路４４は、外部装置と無線で通信するための無線通信回路３４を含むことができる。無線通信回路３４としては、１又はそれ以上の集積回路から形成された無線周波数（ＲＦ）トランシーバ回路、電力増幅回路、低ノイズ入力増幅器、受動ＲＦ部品、１又はそれ以上のアンテナ、伝送線、及びＲＦ無線信号を処理するためのその他の回路を挙げることができる。光を使用して（例えば、赤外線通信を使用して）無線信号を送信することもできる。
【００２８】
無線通信回路３４は、様々な無線周波数通信帯域に対応するための無線周波数トランシーバ回路９０を含むことができる。例えば、回路３４は、トランシーバ回路３６、３８及び４２を含むことができる。トランシーバ回路３６は、ＷｉＦｉ（登録商標）（ＩＥＥＥ  ８０２．１１）通信のための２．４ＧＨｚ及び５ＧＨｚ帯域に対応できるとともに、２．４ＧＨｚのＢｌｕｅｔｏｏｔｈ（登録商標）通信帯域にも対処できる無線ローカルエリアネットワークトランシーバ回路とすることができる。回路３４は、携帯電話トランシーバ回路３８を使用して、（一例として）７００〜９６０ＭＨｚの低通信帯域、１７１０〜２１７０ＭＨｚの中帯域、及び２３００〜２７００ＭＨｚの高帯域、７００〜２７００ＭＨｚのその他の通信帯域、又はその他の好適な周波数などの周波数範囲における無線通信に対応することができる。回路３８は、音声データ及び非音声データに対応することができる。無線通信回路３４は、１５７５ＭＨｚのＧＰＳ信号を受け取るための、又はその他の衛星測位データに対応するための全地球測位システム（ＧＰＳ）受信回路４２などの衛星ナビゲーションシステム回路を含むことができる。無線通信回路３４は、必要に応じて、その他の短距離及び長距離無線リンクのための回路を含むこともできる。例えば、無線通信回路３４は、６０ＧＨｚトランシーバ回路、テレビ及びラジオ信号を受け取るための回路、ページングシステムトランシーバなどを含むことができる。通常、ＷｉＦｉ（登録商標）及びＢｌｕｅｔｏｏｔｈ（登録商標）リンク、並びにその他の短距離無線リンクでは、無線信号を用いて数十フィート又は数百フィートにわたってデータを伝達する。通常、携帯電話リンク及びその他の長距離リンクでは、無線信号を用いて数千フィート又は数マイルにわたってデータを搬送する。
【００２９】
無線回路３４は、近距離通信回路１２０を含むことができる。近距離通信回路１２０は、近距離通信信号の生成及び受信を行って、装置１０と近距離通信リーダ又はその他の外部近距離通信装置との間の通信をサポートすることができる。近距離通信は、ループアンテナを用いてサポートする（例えば、装置１０内のループアンテナが対応する近距離通信リーダ内のループアンテナに電磁的に近距離結合される誘導性近距離通信をサポートする）ことができる。通常、近距離通信リンクは、一般に２０ｃｍ又はそれ以下の距離にわたって形成される（すなわち、効果的な通信のためには、装置１０を近距離通信リーダの近隣に配置する必要がある）。
【００３０】
無線通信回路３４は、アンテナ４０を含むことができる。アンテナ４０は、あらゆる好適なアンテナタイプを用いて形成することができる。例えば、アンテナ４０は、ループアンテナ構造、パッチアンテナ構造、逆Ｆ型アンテナ構造、スロットアンテナ構造、平面逆Ｆ型アンテナ構造、螺旋アンテナ構造、これらの設計の混成などから形成された共振素子を有するアンテナを含むことができる。異なる帯域及び帯域の組み合わせには、異なるタイプのアンテナを使用することができる。例えば、１つのタイプのアンテナをローカル無線リンクアンテナの形成に使用し、別のタイプのアンテナを遠隔無線リンクアンテナの形成に使用することができる。アンテナ構造４０は、携帯電話通信、無線ローカルエリアネットワーク通信、及びその他の遠距離無線通信のサポートに加え、近距離通信のサポートに使用することもできる。アンテナ構造４０は、近接センサ信号（例えば、静電容量式近接センサ信号）の収集に使用することもできる。
【００３１】
無線周波数トランシーバ回路９０は、近距離通信信号を処理せず、従って遠距離通信回路又は非近距離通信回路と呼ばれることもある。近距離通信トランシーバ回路１２０は、近距離通信への対応において使用することができる。１つの好適な構成では、１３．５６ＭＨｚの周波数の信号を用いて近距離通信をサポートすることができる。必要に応じ、アンテナ構造４０を用いて他の近距離通信帯域をサポートすることもできる。トランシーバ回路９０は、非近距離通信周波数（例えば、７００ＭＨｚを上回る周波数又はその他の好適な周波数）に対応することができる。
【００３２】
図６に示すように、無線回路３４内の非近距離トランシーバ回路９０は、経路９２などの経路を使用してアンテナ構造４０に結合することができる。近距離通信トランシーバ回路１２０は、経路１３２などの経路を使用してアンテナ構造４０に結合することができる。制御回路２８は、経路１３４などの経路を利用して、構造４０によって形成された近距離通信アンテナを用いて近距離通信データの送信及び受信を行うことができる。近接センサ回路１２２は、アンテナ構造４０を静電容量式近接センサ電極として使用して近接センサデータ（すなわち、装置１０の近隣に外部オブジェクトが存在するか否かを示す静電容量式近接センサデータ）を収集することができる。近接センサデータは、経路１３６などの経路を使用して近接センサ回路１２２から制御回路２８に搬送することができる。近接センサデータを使用して、装置１０の近隣で外部オブジェクトが検出された際には無線送信電力を調整し（例えば、トランシーバ回路９０によって送信されている無線信号の送信電力を低減し）、又はその他の無線回路調整を行うことができる。
【００３３】
制御回路２８は、入出力装置３２に結合することができる。入出力装置３２は、装置１０からの出力を供給するとともに、装置１０の外部にあるソースからの入力を受け取ることができる。
【００３４】
アンテナ構造４０は、関心のある通信周波数をカバーできるように、インピーダンス整合回路、フィルタ及びその他のアンテナ回路を備えることができる。この回路は、固定回路及び調節可能回路を含むことができる。このアンテナ回路には、コンデンサ、インダクタ及び抵抗器などの個別部品を組み込むことができる。容量構造、誘導構造及び抵抗構造は、パターン化した金属構造（例えば、アンテナの一部）によって形成することもできる。必要に応じて、アンテナ構造４０は、関心のある通信帯域にわたってアンテナを調節するための調節可能部品１０２などの調整可能な回路を備えることができる。調節可能部品１０２は、調節可能インダクタ、調節可能コンデンサ、又はその他の調節可能部品を含むことができる。このような調節可能部品は、固定部品、関連する分布容量及び分布インダクタンスをもたらす分布金属構造、可変容量値及び可変インダクタンス値をもたらすための可変固体装置、調節可能フィルタ、又はその他の好適な調節可能構造のスイッチ及びネットワークに基づくことができる。例えば、調節可能部品１０２は、１又はそれ以上の調整可能コンデンサ（例えば、スイッチング回路を調整することによって複数の異なる容量値の１つをもたらすことができるプログラム可能なコンデンサ）、１又はそれ以上の調整可能インダクタ（例えば、マルチプレクサ、又は複数の異なる利用可能なインダクタ値から所望のインダクタ値を選択できるようにするその他の調整可能スイッチング回路を有する調整可能インダクタ回路）、又はその他の調整可能部品を含むことができる。
【００３５】
装置１０の動作中、制御回路２８は、経路１０３などの１又はそれ以上の経路上で、インダクタンス値、容量値、又は調節可能部品１０２に関連する他のパラメータを調整する制御信号を送出することにより、所望の通信帯域をカバーするようにアンテナ構造４０を調節する。また、能動部品及び／又は受動部品を使用して、非近距離通信トランシーバ回路９０、近距離通信トランシーバ回路１２０及び近接センサ回路１２２間でアンテナ構造４０を共有することもできる。
【００３６】
経路９２は、１又はそれ以上の伝送線を含むことができる。一例として、図６の信号経路９２は、配線９４などの正の信号導体、及び配線９６などの接地信号導体を有する伝送線とすることができる。配線９４及び９６は、（一例として）同軸ケーブル又はマイクロストリップ伝送線の一部を形成することができる。インダクタ、抵抗器及びコンデンサなどの部品によって形成される整合ネットワークは、アンテナ構造４０のインピーダンスを伝送線９２のインピーダンスに整合させる上で使用することができる。整合ネットワーク部品は、個別部品（例えば、表面実装技術部品）として提供することも、或いはハウジング構造、プリント基板構造、プラスチック支持体上のトレースなどによって形成することもできる。このような部品は、アンテナ構造４０内のフィルタ回路及びその他のアンテナ回路を形成する上で使用することもできる。
【００３７】
伝送線９２は、アンテナ４０のアンテナ共振素子及び接地に直接結合することも、或いはアンテナ４０のアンテナ共振素子に間接的にフィードを行う上で使用される間接フィードアンテナフィード構造に結合することもできる。一例として、アンテナ構造４０は、逆Ｆ型アンテナ、スロットアンテナ、混成逆Ｆ型スロットアンテナ、又は端子９８などの正のアンテナフィード端子と接地アンテナフィード端子１００などの接地アンテナフィード端子とを含むアンテナフィードを有するその他のアンテナを形成することができる。正の伝送線導体９４は、正のアンテナフィード端子９８に結合することができ、接地伝送線導体９６は、接地アンテナフィード端子９２に結合することができる。別の例として、アンテナ構造４０は、スロットアンテナ共振素子などのアンテナ共振素子、又は間接的にフィードされるその他の素子を含むことができる。間接供給構成では、伝送線９２が、アンテナスロットなどのアンテナ構造を間接的にフィードするために使用されるアンテナフィード構造又はその他の素子に電磁近距離結合を通じて結合される。
【００３８】
アンテナ４０は、スロットアンテナ構造、逆Ｆ型アンテナ構造（例えば、平面及び非平面逆Ｆ型アンテナ構造）、ループアンテナ構造、又はその他のアンテナ構造を含むことができる。
【００３９】
図７に、例示的な逆Ｆ型アンテナ構造を示す。図７の逆Ｆ型アンテナ構造１４０は、アンテナ共振素子１０６、及びアンテナ接地（接地面）１０４を有する。アンテナ共振素子１０６は、アーム１０８などの主共振素子アームを有することができる。アーム１０８の長さは、アンテナ構造１４０が所望の動作周波数で共振するように選択することができる。例えば、アーム１０８の長さは、アンテナ４０にとって望ましい動作周波数における波長の４分の１とすることができる。アンテナ構造１４０は、調和周波数においても共振を示すことができる。
【００４０】
主共振素子アーム１０８は、戻り経路１１０によって接地１０４に結合することができる。アンテナフィード１１２は、正のアンテナフィード端子９８及び接地アンテナフィード端子１００を含むことができ、アーム１０８と接地１０４との間で戻り経路１１０と平行に延びることができる。必要に応じて、図７の例示的なアンテナ構造などの逆Ｆ型アンテナ構造は、（例えば、複数の通信帯域における動作をサポートするために複数の周波数共鳴を生じるように）複数の共振アーム分岐を有することも、或いは他のアンテナ構造（例えば、無給電アンテナ共振素子、アンテナ調節をサポートするための調節可能部品など）を有することもできる。平面構造（例えば、図７のページ内に延びる金属パッチ又は金属ストリップなどの平面金属構造）を用いてアーム１０８を実装することにより、平面逆Ｆ型アンテナ（ＰＩＦＡ）を形成することもできる。図７の逆Ｆ型アンテナ４０などのアンテナは、回路１２６などの調整可能回路（整合回路と呼ばれることもある）を有することができる。回路１２６は、経路１２４内の共振素子アーム１０８と接地１０４の間に結合することができる。回路１２６への調整を用いて、アンテナ４０の性能（例えば、アンテナ４０の周波数応答）を調整することができる。図７の例示的な回路１２６などのアンテナ回路は、図６の部品１０２などの調節可能部品を含むことができる。
【００４１】
装置１０は、１又はそれ以上のアンテナを含むことができる。図８に、２つのアンテナを含む例示的な装置１０の一部の平面図を示す。装置１０内のディスプレイの非アクティブ領域ＩＡなどの非アクティブ部分には、アンテナ４０Ａ及び４０Ｂが位置することができる。領域１４’には、ディスプレイモジュール又はディスプレイのその他のアクティブなディスプレイ部分が位置することができる。接地面１０４は、ハウジング１２上の周辺導電性構造、ハウジング壁、内部中央プレートハウジング部材、及び／又は装置１０内のその他の導電性構造から形成することができる。接地面１０４は、アンテナ４０Ａ及び４０Ｂなどの複数のアンテナのためのアンテナ接地として機能することができる。
【００４２】
アンテナ４０Ａは、正のフィード端子９８Ａと接地フィード端子１００Ａとを含むフィード１１２Ａ、共振素子アーム１０８Ａ、戻り経路１１０Ａ、及びアーム１０８Ａと接地１０４の間に結合された整合回路経路１２４Ａを有する。経路１１２Ａには、コンデンサＣ１が介在することができる。経路１２４Ａには、コンデンサＣ２及び整合回路Ｍ１又はその他のアンテナ回路が介在することができる。回路Ｍ１は調整可能とすることができる（例えば、回路Ｍ１は、図６の調節可能部品１０２を含むことができる）。
【００４３】
アンテナ４０Ａのアーム１０８Ａと、アンテナ４０Ｂのアーム１０８Ｂは、インダクタＬ１（例えば、約８０ｎＨ〜２００ｎＨの値を有するインダクタ）に基づく回路などのフィルタ回路又はその他の好適な回路によって結合することができる。この回路は、ローパス回路として機能することができる。必要に応じて、これらのアンテナ構造のインダクタＬ１が占める位置には、他のタイプのフィルタ回路を組み込むこともできる。
【００４４】
アンテナ４０Ｂは、正のフィード端子９８Ｂと接地フィード端子１００Ｂとを含むアンテナフィード経路１１２Ｂ、戻り経路１１０Ｂ、及び整合回路経路１２４Ｂを含む。経路１１２Ｂには、コンデンサＣ５が介在することができる。経路１１０Ｂには、コンデンサＣ４が介在することができる。経路１２４Ｂには、整合回路Ｍ２又はその他のアンテナ回路及びコンデンサＣ３が介在することができる。回路Ｍ２は、図６の部品１０２などの調節可能回路を含むことができる。アンテナ４０Ｂのアーム１０８Ｂは、インダクタＬ２（例えば、８０ｎＨ〜２００ｎＨの値を有するインダクタ）に基づく周波数依存回路などのフィルタ又はその他の好適な周波数依存回路によって近距離通信回路１４０に結合することができる。
【００４５】
近距離通信回路１４０は、近距離通信トランシーバ１２０、整合回路１３０などの整合回路、及びバラン１２８などのバランを含むことができる。バラン１２８を使用して、経路１４２上の差動近距離通信信号を経路１４４上のシングルエンド近距離通信信号に変換することができる。必要に応じて、装置１０の近距離通信信号の処理において他のタイプの近距離通信回路を使用することもできる。
【００４６】
アンテナ４０Ａ及び４０Ｂは、逆Ｆ型アンテナである。アンテナ４０Ａ及び４０Ｂには、フィード１１２Ａ及び１１２Ｂにおいて（例えば、それぞれの伝送線を使用して）無線周波数トランシーバ回路９０が結合される。回路９０の動作中、アンテナ４０Ａ及び４０Ｂは、２アンテナシステムの一次アンテナ及び二次アンテナとして機能することができる。装置１０内のスイッチング回路がアンテナ４０Ａとアンテナ４０Ｂを切り替えて、（例えば、受信信号の強度情報、近接センサデータなどに基づいて）最適なアンテナをリアルタイムで使用状態に切り替えることができる。通常、トランシーバ回路９０に関連する信号の周波数は、７００ＭＨｚ又はそれ以上である。これらの周波数では、インダクタＬ１が、アーム１０８Ａをアーム１０８Ｂから電気的に分離する開回路を形成し、インダクタＬ２が、アンテナ４０Ｂを近距離通信回路１４０から分離するための開回路を形成する。これらの周波数では、コンデンサＣ１、Ｃ２、Ｃ３、Ｃ４及びＣ５（例えば、約２０〜３０ｐＦの値を有するコンデンサ）が短絡を形成し、アンテナ４０Ａ及び４０Ｂがトランシーバ回路９０のための逆Ｆ型アンテナとして機能するようになる。近距離通信回路１４０は、さらに低い周波数（例えば、１３．５６ＭＨｚ）で動作することができる。近距離通信周波数では、コンデンサＣ１、Ｃ２、Ｃ３、Ｃ４及びＣ５が開回路を形成して、これらのコンデンサを含む経路を近距離通信信号電流から分離する。近距離通信周波数ではインダクタＬ１及びＬ２が短絡を形成し、従って例示的な近距離通信電流Ｉなどの近距離通信信号電流が、アンテナ４０Ａ及び４０Ｂの一部によって形成されるループアンテナを流れることができる。電流Ｉは、例えばアンテナ４０Ｂのアーム１０８Ｂ、アンテナ４０Ａのアーム１０８Ａ、アンテナ４０Ｂの戻り経路１１０Ａ及び接地１０４を通じてループ状に流れることができる。
【００４７】
この例で明らかなように、図８のアンテナ構造４０は、非近距離通信アンテナ構造（すなわち、逆Ｆ型アンテナ４０Ａ及び逆Ｆ型アンテナ４０Ｂ）、及び近距離通信アンテナ構造（すなわち、アンテナ４０Ａ及びアンテナ４０Ｂの一部によって形成されるループアンテナ）の両方として機能することができる。近距離通信機能と非近距離通信機能の間でアンテナ構造４０を共有する能力によってアンテナ構造４０のサイズを最小化することができ、アンテナ部品の重複が避けられるようになる。
【００４８】
図９は、図８のアンテナ構造４０などのアンテナ構造の実装において使用できる例示的な部品を示す装置１０の一部の平面図である。図９の例に示すように、装置１０は、アンテナ４０Ａの一部を形成するための基板１７０などの第１のアンテナ基板（例えば、共振素子アーム１０８Ａなど）と、アンテナ４０Ｂの一部を形成するための基板１７２などの第２のアンテナ基板（例えば、共振素子アーム１０８Ｂ）とを有することができる。基板１７０及び１７２は、プリント基板、プラスチックキャリア、或いはパターン化した金属トレースを有するその他のアンテナ支持構造又はその他の導電性アンテナ構造とすることができる。部品１６２及び１６６などの部品（例えば、コンデンサＣ２、整合回路Ｍ１、コンデンサＣ３及び整合回路Ｍ２などの電子デバイスを実装したフレキシブルプリント基板材料のストリップ）を用いて、基板１７０及び１７２上のトレース（例えば、アーム１０８Ａ及び１０８Ｂ）を接地１０４に結合することができる。基板１６４は、インダクタＬ１などのインダクタ又はその他のフィルタ回路を有し、基板１７０を基板１７２に結合するために使用することができる。部品１６８は、基板１７２を経路１４４に結合するインダクタ又はその他のフィルタ回路とすることができる。必要に応じ、アンテナ４０Ａ及び４０Ｂの実装では、より少ない基板、又はより多くの基板を使用することができる。例えば、アンテナ４０Ａ及び４０Ｂの両方の金属トレース及び部品を単一の基板によって保持し、アンテナ構造４０などの形成に１又はそれ以上のさらなる基板を使用することもできる。図９の例は例示にすぎない。
【００４９】
アンテナ４０Ａ及び４０Ｂは、領域１５０によって分離することができる。領域１５０には、部品１５２（例えば、フレキシブルプリント基板上のカメラ）、部品１５４（例えば、フレキシブルプリント基板上のマイク）、及び部品１５６（例えば、アンテナフィード端子１５８及び１６０を用いて給電されるモノポール衛星ナビゲーションシステムアンテナ）などの部品を形成することができる。フレキシブルプリント基板は、ホットバー半田接続又はその他の好適な導電性取り付け機構を用いて結合することができる。必要に応じて、装置１０のアンテナ構造４０よりも上方及び下方部分を誘電構造とし、（一例として）装置１０の前部及び後部の両方を通じてアンテナ構造４０を近距離通信（及び非近距離通信）に使用できるようにすることもできる。
【００５０】
図１０は、アンテナ構造４０に近接センサ回路をどのように組み込むことができるかを示す図である。図１０に示すように、装置１０の近接センサは、近接センサフレックス１７４などの構造、及びアンテナ４０Ｂ内の金属アーム１０８Ｂから形成することができる。近接センサフレックス１７４は、フレキシブルプリント基板、又は近接センサ電極構造を形成するための金属トレースを含むその他のプリント基板とすることができる。アーム１０８Ｂは、アンテナ４０Ｂの一部として機能することができ、やはり近接センサ構造（例えば、静電容量式近接センサ電極、シールド層など）を形成することができる。近接センサ構造１７４は、ローパスフィルタ１７６及び経路１８０によって近接センサ回路１２２に結合することができる。アンテナ４０Ｂのアンテナ共振素子アーム１０８Ｂによって形成される近接センサ構造は、ローパスフィルタ１７８及び経路１８２によって近接センサ回路１２２に結合することができる。近接センサ回路１２２は、近距離通信回路１４０に使用される周波数を下回る近接センサ周波数で動作することができる。一例として、近接センサ回路１２２は、約２００ｋＨｚの周波数で動作することができる。
【００５１】
アンテナ４０Ａのアンテナ共振素子アーム１０８Ａは、バンドパスフィルタＢＰＦ１によってアンテナ４０Ｂのアンテナ共振素子アーム１０８Ｂの一端に結合することができる。アンテナ共振素子アーム１０８Ｂの反対端は、バンドパスフィルタＢＰＦ２を用いて近距離通信信号経路１４４に結合することができる。バンドパスフィルタＢＰＦ１及びＢＰＦ２の各々は、近距離通信周波数を中心とする通過帯域を有することができ（例えば、これらのフィルタは、１３．５６ＭＨｚで短絡することができ）、開回路を形成することによってこの周波数帯域を下回る又は上回る信号を遮断するように構成することができる。これにより、バンドパスフィルタＢＰＦ１及びＢＰＦ２は、近接センサ回路１２２に関連する近接センサ周波数、及びトランシーバ回路９０に関連する非近距離通信周波数において開回路を形成する一方で、ＮＦＣ周波数においてＮＦＣアンテナを形成するための閉回路を形成するようになる。
【００５２】
非近距離通信回路９０は、フィード１１２Ａに結合された第１の伝送線、及びフィード１１２Ｂに結合された第２の伝送線を有することができる。バンドパスフィルタＢＰＦ２は、非近距離通信周波数（すなわち、７００ＭＨｚを上回る周波数）で動作する際には開回路になり、アーム１０８Ｂを経路１４４から分離する。バンドパスフィルタＢＰＦ１は開回路になってアーム１０８Ａをアーム１０８Ｂから分離し、これによりアンテナ４０Ａ及び４０Ｂを互いに分離させる。コンデンサＣ１、Ｃ２、Ｃ３、Ｃ４及びＣ５は、アンテナ構造４０を逆Ｆ型アンテナ４０Ａ及び４０Ｂに構成する短絡を形成する。ローパスフィルタ１７６及び１７８は、７００ＭＨｚを上回る周波数では開回路であり、従って近接センサ回路１２２はアンテナ４０Ａ及び４０Ｂから分離される。従って、フィルタＢＰＦ１、ＢＰＦ２、ＬＰＦ１７６及びＬＰＦ１７８、並びにコンデンサＣ１、Ｃ２、Ｃ３、Ｃ４及びＣ５から形成されたフィルタ回路を使用することにより、アンテナ４０Ａ及び４０Ｂを用いて、携帯電話通信、無線ローカルエリアネットワーク通信、任意の衛星ナビゲーションシステムなどに対応できるようになる。
【００５３】
近接センサ回路１２２に関連する低周波数（例えば、２００ｋＨｚ、又は１３．５６ＭＨｚの近距離通信周波数を下回る他の周波数）では、ローパスフィルタ１７６及び１７８は短絡を形成する。これにより、近接センサ回路１２２は、静電容量式近接センサ電極１７４及び１０８Ｂに結合される。近接センサ信号周波数では、バンドパスフィルタＢＰＦ１及びＢＰＦ２、並びにコンデンサＣ１、Ｃ２、Ｃ３、Ｃ４及びＣ５は開回路であり、従って近接センサ回路１２２を用いて静電容量式近接センサ信号を収集している時には、近接センサ回路１２２によって構造１７４及び１０８Ｂのみが使用されている。アンテナ構造４０のその他の部分は、構造１７４及び１０８Ｂから電気的に分離される。構造１７４及び１０８Ｂは、装置１０の周辺近くに位置することができ、近距離通信回路１４０、及び構造１０８Ｂ以外のアンテナ構造４０の部分から電気的に切断された時には近接センサ電極として機能するように構成されることが好ましい。
【００５４】
近距離通信周波数では、ローパスフィルタ１７６及び１７８は開回路であり、これにより近接センサ回路１２２がアンテナ構造４０から分離される。コンデンサＣ１、Ｃ２、Ｃ３、Ｃ４及びＣ５は開回路であり、バンドパスフィルタＢＰＦ１及びＢＰＦ２は短絡する。これにより、アンテナ構造４０は、近距離通信ループアンテナとして機能するように構成される。図８に関連して説明したように、近距離通信アンテナループ電流は、近距離通信経路１４４から、バンドパスフィルタＢＰＦ２、アンテナ共振素子アーム１０８Ｂ、バンドパスフィルタＢＰＦ１、アーム１０８Ａ、戻り経路１１０Ａ、そして接地１０４を通じて流れる。従って、近距離通信周波数では、構造４０は、近距離通信トランシーバ１２０によって送受信される信号を処理するための近距離通信ループアンテナとして機能し、非近距離通信信号を処理するための逆Ｆ型アンテナ４０Ａ及び４０Ｂとしては機能しない。
【００５５】
図１０の例は、アンテナ構造４０が、低周波数においていかにして近接センサ電極を形成し、中周波数においていかにして近距離通信アンテナを形成し、高周波数においていかにして非近距離通信アンテナを形成できるかを示すものである。必要に応じて、近接検知、ＮＦＣ通信及び非ＮＦＣ通信のサポートに他のタイプの共有アンテナ構造及び関連するフィルタ回路を使用することもできる。図１０の例は例示にすぎない。
【００５６】
１つの実施形態によれば、アンテナ構造と、アンテナ構造に結合された非近距離通信回路と、アンテナ構造に結合された近距離通信回路と、アンテナ構造に結合された近接センサ回路とを含む電子装置が提供される。
【００５７】
別の実施形態によれば、アンテナ構造が、アンテナ共振素子アームを含む。
【００５８】
別の実施形態によれば、電子装置が、近接センサ回路をアンテナ共振素子アームに結合するローパスフィルタを含む。
【００５９】
別の実施形態によれば、電子装置が、近距離通信回路をアンテナ共振素子アームに結合するバンドパスフィルタを含む。
【００６０】
別の実施形態によれば、電子装置が、近距離通信回路の使用に関連する近距離通信周波数において、アンテナ構造から近距離通信回路のためのループアンテナを形成し、非近距離通信回路の使用に関連する非近距離通信周波数において、アンテナ構造から非近距離通信アンテナを形成するように構成されたアンテナ回路をアンテナ構造内に含む。
【００６１】
別の実施形態によれば、アンテナ回路がコンデンサを含む。
【００６２】
別の実施形態によれば、アンテナ回路がバンドパスフィルタを含む。
【００６３】
別の実施形態によれば、バンドパスフィルタが、アンテナ共振素子アームの一端に接続される。
【００６４】
別の実施形態によれば、アンテナ構造が、非近距離通信回路に関連する周波数で動作する時にアンテナ構造を一対の逆Ｆ型アンテナとして構成し、近距離通信回路に関連する周波数で動作する時にアンテナ構造を近距離通信ループアンテナとして構成するアンテナ回路を含む。
【００６５】
別の実施形態によれば、一対の逆Ｆ型アンテナが、第１の共振素子アーム、第１のフィード及び第１の戻り経路を有する第１の逆Ｆ型アンテナと、第２の共振素子アーム、第２のフィード及び第２の戻り経路を有する第２の逆Ｆ型アンテナとを含み、アンテナ構造はアンテナ接地を含み、第１の戻り経路は、第１の共振素子アームとアンテナ接地との間に結合され、アンテナ回路が、ループアンテナを形成するようにアンテナ構造を構成している場合、近距離通信信号に関連するアンテナ電流が、第２の共振素子アーム、第１の共振素子アーム、第１の戻り経路及びアンテナ接地を通って流れる。
【００６６】
１つの実施形態によれば、第１のアンテナ共振素子アームと、この第１のアンテナ共振素子アームをアンテナ接地に結合する第１の戻り経路とを有する第１の逆Ｆ型アンテナと、第２のアンテナ共振素子アームと、この第２のアンテナ共振素子アームをアンテナ接地に結合する戻り経路を有する第２の逆Ｆ型アンテナと、第１のアンテナ共振素子アームと第２のアンテナ共振素子アームとの間に結合されたバンドパスフィルタとを含む電子装置が提供される。
【００６７】
別の実施形態によれば、第２のアンテナ共振素子が、対向する第１及び第２の端部を有し、バンドパスフィルタは、第２のアンテナ共振素子アームの第１の端部と第１のアンテナ共振素子アームとの間に結合される。
【００６８】
別の実施形態によれば、電子装置が、第２の逆Ｆ型アンテナの戻り経路に介在するコンデンサを含む。
【００６９】
別の実施形態によれば、電子装置が、第２のアンテナ共振素子アームの第２の端部に結合されたさらなるバンドパスフィルタを含む。
【００７０】
別の実施形態によれば、電子装置が、さらなるバンドパスフィルタに結合された近距離通信回路を含む。
【００７１】
別の実施形態によれば、電子装置が、第２の逆Ｆ型アンテナに結合された近接センサ回路を含む。
【００７２】
別の実施形態によれば、電子装置が、近接センサ回路を第２のアンテナ共振素子アームに結合する経路内にローパスフィルタを含む。
【００７３】
１つの実施形態によれば、非近距離通信回路と、非近距離通信回路に結合されて非近距離通信に対応する第１のフィードを有する第１のアンテナと、非近距離通信回路に結合されて非近距離通信に対応する第２のフィードを有する第２のアンテナと、第１のアンテナと第２のアンテナとの間に結合されたバンドパスフィルタと、近距離通信周波数で動作する近距離通信回路とを含み、バンドパスフィルタが近距離通信周波数における通過帯域を有する電子装置が提供される。
【００７４】
別の実施形態によれば、非近距離通信回路が、少なくとも７００ＭＨｚの非近距離通信周波数で動作するトランシーバ回路を含み、バンドパスフィルタは、非近距離通信周波数において開回路である。
【００７５】
別の実施形態によれば、電子装置が、第２のアンテナに結合された、近接センサ周波数で動作する近接センサ回路を含み、バンドパスフィルタは、近接センサ周波数において開回路である。
【００７６】
上記の説明は例示にすぎず、当業者であれば、説明した実施形態の範囲及び思想から逸脱することなく様々な修正を行うことができる。上記の実施形態は、個別に又はあらゆる組み合わせで実装することができる。
【図１】
0003198270.tif 000003
【図２】
0003198270.tif 000004
【図３】
0003198270.tif 000005
【図４】
0003198270.tif 000006
【図５】
0003198270.tif 000007
【図６】
0003198270.tif 000008
【図７】
0003198270.tif 000009
【図８】
0003198270.tif 000010
【図９】
0003198270.tif 000011
【図１０】
0003198270.tif 000012